【手続補正書】
【提出日】平成18年9月20日(2006.9.20)
【手続補正１】
【補正対象書類名】明細書
【補正対象項目名】特許請求の範囲
【補正方法】変更
【補正の内容】
【特許請求の範囲】
【請求項１】  第一スライド部材、
前記第一スライド部材に摺動自在に連結された第二スライド部材、
前記第一スライド部材の端部に設けられかつ所定幅を有するタブ、および
第二スライド部材と係合自在であり、かつバンパーの中央に延在する中央スロットによって前記タブ上に据えつけられた上下端部を有する弾性バンパーを含み、
前記第二スライド部材は二つの脚部および前記二つの脚部間にチャンネルを形成するウエブを有し、
前記スロットは前記タブの幅よりも長い長手を有し、前記タブ上に据えつけられかつ前記第二スライド部材と係合しないときに、前記バンパーは引張を受けず、かつ第二スライド部材の脚部は、前記内スライド部材が閉鎖位置へ移動するときに前記バンパーを二つの前記脚部間へセンタリングすべく前記バンパーの外面と係合する、引出しスライド組立体。
【請求項２】  前記タブ上に据えつけられかつ前記第二スライド部材と係合しないときに、前記バンパーは前記タブの長手に沿って所定方向において前記タブに対して摺動可能である、請求項１に記載の引出しスライド組立体。
【請求項３】  前記タブは前記第一スライド部材から横切る方向に延在する２つの対峙縁部を有しかつ切欠きが前記縁部の少なくとも１つに形成され、かつ前記バンパーが前記切欠きと合致するための突起が前記スロット内に形成されている、請求項２に記載の引出しスライド組立体。
【請求項４】  切欠きが前記２つの縁部の各々に形成されている、請求項３に記載の引出しスライド組立体。
【請求項５】  前記バンパーは前記各切欠きに対応する突起を含み、かつ突起が前記各切欠きへ延在する、請求項４に記載の引出しスライド組立体。
【請求項６】  前記突起は前記切欠きと接触しない、請求項３に記載の引出しスライド組立体。
【請求項７】  前記スロットの幅は前記タブの厚みよりも大きい、請求項２に記載の引出しスライド組立体。
【請求項８】  前記スロットは前記バンパーの上下端部との交差点で縁部を形成し、かつ前記スロットの少なくとも１つの縁部は面取りされている、請求項２に記載の引出しスライド組立体。
【請求項９】  前記バンパーの反対端部に形成されたスロットの縁部は面取りされている、請求項８に記載の引出しスライド組立体。
【請求項１０】  前記バンパーは上下周辺縁部を有し、かつ前記周辺縁部の少なくとも１つは面取りされている、請求項２に記載の引出しスライド組立体。
【請求項１１】  前記第二スライド部材に対面する前記上周辺縁部の部分は面取りされている、請求項１０に記載の引出しスライド組立体。
【請求項１２】  前記バンパーは面取りした上下周辺縁部を有する、請求項２に記載の引出しスライド組立体。
【請求項１３】  前記バンパーは前記スロットと交差しかつ前記バンパーの内部へ延在する中心通路を有する、請求項２に記載の引出しスライド組立体。
【請求項１４】  前記タブに取り付けられたガセットを更に含み、前記バンパーの中心通路は前記ガセットを受けている、請求項１３に記載の引出しスライド組立体。
【請求項１５】  前記バンパーは前記タブ上に据えつけられ、前記中心通路は前記ガセットにより引張られない、請求項１４に記載の引出しスライド組立体。
【請求項１６】  前記バンパーは前記タブ上に据えつけられ、前記バンパーは前記タブに対して浮動可能である、請求項２に記載の引出しスライド組立体。
【請求項１７】  スライド部材であって、
前記スライド部材から延びた所定幅を有するストッパ部材、および
前記ストッパ部材上に据えつけられたバンパーを含み、
前記バンパーは上下周辺縁部をそれぞれ有する上下端部、および
前記ストッパ部材を受けるための前記バンパーへ延在する内スロットを含み、
前記スロットは所定長を有し、前記スロットの所定長は前記ストッパ部材の幅よりも大きい寸法であり、かつ前記バンパーは前記ストッパ部材に対して浮動する、スライド部材。
【請求項１８】  前記バンパーは前記スロットと平行の面に沿って前記スロット内に延在する突起を更に含む、請求項１７に記載のスライド部材。
【請求項１９】  前記バンパーのスロットは面取りされた縁部を含む、請求項１７に記載のスライド部材。
【請求項２０】  前記バンパーは前記ストッパー部材上に据えつけられるときに引張を受けない、請求項１７に記載のスライド部材。
【請求項２１】  二つの脚部および前記二つの脚間のウエブを有する内スライド部材、
前記内スライド部材に摺動自在に連結された中間スライド部材、
前記中間スライド部材に摺動自在に連結されかつ二つの脚部および二つの前記脚間のウエブを有する外スライド部材、
前記中間スライド部材の一端部に設けられかつ所定幅を有するタブ、および
前記内スライド部材および前記外スライド部材のいずれか一方のスライド部材と係合自在でありかつ上下端部を有する弾性バンパーを含み、
前記バンパーはバンパーの中央に延在する中央スロットによって前記タブ上に据えつけられ、
前記スロットは前記タブの幅よりも長い長手を有し、
前記タブ上に据えつけられかつ前記内スライド部材または前記外スライド部材のいずれか一方と係合しないときに、前記バンパーは引張を受けず、かつ
前記内スライド部材または前記外スライド部材のいずれか一方は、前記内スライド部材または前記外スライド部材のいずれか一方が閉鎖位置へ移動するときに前記内スライド部材または前記外スライド部材のいずれか一方の二つの前記脚部間へ前記バンパーをセンタリングすべく前記バンパーの外面と係合する、引出しスライド組立体。
【請求項２２】  前記内スライド部材または前記外スライド部材のいずれか一方と係合しないときに、前記バンパーは前記タブの長手に沿って所定方向において前記タブに対して摺動可能である、請求項２１に記載の引出しスライド組立体。
【請求項２３】  前記バンパーは前記タブに対して浮動不可能である、請求項２２に記載の引出しスライド組立体。
【請求項２４】  内スライド部材、
前記内スライド部材へ摺動自在に連結された外スライド部材、
前記内スライド部材の一端部に設けられかつ所定幅を有するタブ、および
前記外スライド部材と係合自在でありかつそのバンパーの中央に延在する中央スロットによって前記タブ上に据えつけられた上下端部を有する弾性バンパーを含み、
前記スロットは前記タブの幅よりも長い長手を有し、
前記タブ上に据えつけられかつ前記外スライド部材と係合しないときに、前記バンパーは引張を受けず、かつ
前記バンパーは前記スロットの長手に沿って所定方向において前記タブに対して摺動可能であり、かつ
前記外スライド部材は、前記外スライド部材が閉鎖位置へ移動するときに二つの前記脚部間へ前記バンパーをセンタリングすべく前記バンパーの外面と係合する、引出しスライド組立体。
【請求項２５】  前記弾性バンパーは前記タブに対して浮動不可能である、請求項２４に記載の引出しスライド組立体。
【手続補正２】
【補正対象書類名】明細書
【補正対象項目名】０００６
【補正方法】変更
【補正の内容】
【０００６】
一形態において、前記ストッパタブは各垂直エッジ上に形成された切欠きを有する。前記バンパーの中心スロット内に形成された２つの突起が前記タブ上の前記切欠きに対応して、前記バンパーを拘束し前記タブから脱出しないようにする。前記スロット内の各突起は、前記バンパーが前記ストッパタブ上の適所にフイットするときに前記タブの各切欠きにより形成された空間へ侵入するような長さを有する。前記突起は前記切欠きへ接近するが前記切欠きのエッジ、即ち、縁部と係合しすることなくルーズフイットする。ただし、前記突起の長さは、前記バンパーの前記ストッパタブからの離脱を試みるときに前記突起が前記切欠きのエッジと係合し、それによりバンパーからの離脱に抵抗するようなものである。
【手続補正３】
【補正対象書類名】明細書
【補正対象項目名】０００８
【補正方法】変更
【補正の内容】
【０００８】
他の特徴として、本発明は引出しスライド組立体を提供し、この引出しスライド組立体は、外スライド部材、および前記外スライド部材に摺動自在に連結された内スライド部材を含む。前記内スライド部材はウエブおよび前記ウエブの各エッジに沿って延在するベント脚部を有しチャンネルを形成する。タブが前記チャンネルにより形成される空間へ延在する前記外スライド部材の端部に設けられる。上下端部を有する弾性バンパーが前記バンパーに延在する中心スロットにより前記タブ上に据えつけられる。前記スロットの長さは前記タブ上に据えつけられたときに前記タブよりも広く、前記タブ上での前記バンパーの側から側への『フローティング』、即ち、浮動もしくは摺動を可能にし、かつ前記内スライド部材が閉鎖位置に移動するときに前記内スライドの脚部が前記バンパーを前記タブ上で摺動自在に移動させるために前記バンパーの外面と係合する。
【手続補正４】
【補正対象書類名】明細書
【補正対象項目名】００１５
【補正方法】変更
【補正の内容】
【００１５】
本発明のバンパーは後ストッパタブを受けるためのスロット７６を有する。スロット７６は長さ７８、幅８０および高さ８２を有する（図７Ａ，Ｂ）。スロットはバンパーを上から下へ延びる。突起８４がスロットの各内側壁に形成され、かつスロット内で、即ち、長手または長さ方向に突出する。各突起は、バンパーが所定位置のときに切欠き７０へ侵入するように設計される。好適には、バンパーはストッパタブ、即ち後ストッパ部材上に形成された各切欠きに対する突起を有する。従って、ストッパタブがその各側エッジ上に切欠き７０を有する場合には、突起８４はスロットの各側エッジに設けられる。